(57)【特許請求の範囲】
【請求項１】
太陽電池と、
前記太陽電池の時計表側に配置された透光性の文字板と、
前記太陽電池の裏面に固定された太陽電池保持部材と、
前記太陽電池の裏面に配置される地板と、
前記文字板および前記地板間に配置されるリング状の暦車と、
前記太陽電池の電極に前記文字板側から見た平面視で前記暦車の内側に配置された導通ばねを介して導通する回路基板と、
を備えた太陽電池付電子時計において、
前記太陽電池保持部材および前記地板は、前記文字板側から見た平面視で前記暦車の内側に設けられる対向面をそれぞれ有し、
前記各対向面の一方にはフック部が形成され、他方には前記フック部を配置可能に形成された案内穴及び前記案内穴の周辺に位置し前記フック部が係止可能な係止部が形成されており、
前記フック部が前記係止部に係止された状態で、
前記太陽電池保持部材が前記地板に固定される
ことを特徴とする太陽電池付電子時計。
【請求項２】
請求項１に記載の太陽電池付電子時計において、
前記太陽電池保持部材は、
前記地板に形成された位置決め突起に係合して回転方向の位置決めを行う位置決め部と、
前記導通ばねを挿通する挿通穴と、を備え、
前記位置決め部および前記挿通穴は隣接して配置されている
ことを特徴とする太陽電池付電子時計。
【請求項３】
請求項１から請求項2のいずれかに記載の太陽電池付電子時計において、
前記太陽電池は、前記文字板側から見た平面視で前記暦車の内側に配置されていることを特徴とする太陽電池付電子時計。
【発明の詳細な説明】
【技術分野】
【０００１】
本発明は、太陽電池付電子時計に関する。
【背景技術】
【０００２】
太陽電池を備える太陽電池付電子時計では、太陽電池で発電した電力を二次電池などに充電するため、導通ばね（コイルばね）を用いた導通部をムーブメントの外周部に設けていた（たとえば、特許文献１の図１１参照）。
【０００３】
ところで、導通部をムーブメント外周に設けると、一次電池で駆動する一般的な電子時計に比べてムーブメントサイズも必然的に大きくなってしまう。このため、特に、女性用に適した小型の太陽電池付電子時計を構成することが難しいという問題があった。
そこで、特許文献１の図４では、オシドリと、カンヌキの本体部と、カンヌキ戻しバネ部で囲まれた空間領域に、ソーラーセル接続バネを配置していた。
【先行技術文献】
【特許文献】
【０００４】
【特許文献１】特開２００４−２３９７１４号公報
【発明の概要】
【発明が解決しようとする課題】
【０００５】
しかしながら、特許文献１の図４に示すように、オシドリやカンヌキの近傍にソーラー接続バネを配置すると，カレンダー機能を設けることが難しいという新たな問題が発生する。
すなわち、オシドリやカンヌキは巻真の近くに配置される。この巻真の上側には日車等の暦車が配置され、文字板に形成されたカレンダー窓にカレンダー情報を表示している。暦車は、リング状（円環状）に形成され、太陽電池およびムーブメント間に配置されるため、前記ソーラー接続バネと配置位置が干渉してしまう。このため、特許文献１では、暦車を用いてカレンダー機能を実現することができないという問題があった。
【０００６】
本発明の目的は、ムーブメントを小型化でき、かつ、暦車を用いたカレンダー機能を実現できる太陽電池付電子時計を提供することにある。
【課題を解決するための手段】
【０００７】
本発明の太陽電池付電子時計は、太陽電池と、前記太陽電池の時計表側に配置された透光性の文字板と、前記太陽電池の裏面に配置される地板と、前記文字板および前記地板間に配置されるリング状の暦車と、前記太陽電池の電極に導通ばねを介して導通する回路基板とを備え、前記導通ばねは、前記文字板側から見た平面視で前記暦車の内側に配置されていることを特徴とする。
【０００８】
本発明の太陽電池付電子時計では、太陽電池の電極と回路基板とを導通する導通ばねを、日車等のリング状の暦車の内側のスペースに配置している。このため、従来のように、暦車の外側に導通ばねを設ける場合に比べて、ムーブメントを小型化できる。従って、女性用の太陽電池付電子時計も容易に設計できる。
また、導通ばねを暦車の外側に設けている場合、暦車の外径が大きなモデルを設計する場合に導通ばねの配置位置の変更が必要となり、太陽電池の電極位置も変更しなければならない。これに対し、本発明によれば、暦車の外径寸法を大きくしても導通ばねと干渉することがないため、太陽電池付電子時計として、暦車の外径が大きなモデルを展開する際に、太陽電池の電極位置や導通ばねの配置位置を変更する必要が無い。このため、暦車の外径寸法が異なる様々なモデルにおいて、太陽電池、導通ばね、回路基板等を含むムーブメントを共通化できて、コストを低減できる。
さらに、暦車の外側に導通ばねを設ける場合に比べて、暦車と時計外周（外装ケース）との距離を小さくできる。このため、暦車を視認するためのカレンダー窓の形成位置の自由度が向上し、文字板のデザインバリエーションの自由度を向上できる。
【０００９】
本発明の太陽電池付電子時計は、前記太陽電池の裏面に固定された太陽電池保持部材を備え、前記太陽電池保持部材および前記地板は、前記文字板側から見た平面視で前記暦車の内側に設けられる対向面をそれぞれ有し、前記各対向面の一方にはフック部が形成され、他方には前記フック部を配置可能に形成された案内穴が形成され、前記案内穴内に前記フック部を配置した状態で、前記地板に対して前記太陽電池保持部材を回転して前記案内穴の周縁を前記フック部に係止させることで、前記太陽電池保持部材が前記地板に固定されることが好ましい。
【００１０】
本発明の太陽電池付電子時計では、太陽電池の裏面に固定された太陽電池保持部材と、地板とに、文字板側から見た平面視で前記暦車の内側に設けられる対向面をそれぞれ設ける。そして、各対向面の一方にフック部を設け、他方に案内穴を設けている。フック部および案内穴を暦車の内側の対向面に形成しているので、太陽電池および太陽電池保持部材の地板への固定位置を、導通ばねの配置位置の近くに設定できる。このため、導通ばねによって太陽電池の電極に押圧力が加わっても、前記フック部および案内穴の係止構造によって前記押圧力を支持できる。従って、太陽電池として基材がプラスチックフィルム製のフィルムソーラーを用いた場合でも、太陽電池が導通ばねの押圧力で大きく変形することを防止できる。
【００１１】
さらに、太陽電池保持部材を太陽電池の外周に突出させる必要がなく、文字板から透けて見えることもない。このため、太陽電池保持部材を被覆するための見切り材を配置する必要が無く、見切り径の制約も無くすことができる。よって、文字板のサイズや見切り径のサイズの自由度が高まり、太陽電池付電子時計を腕時計として構成する場合、見切り径の大きなビッグサイズの腕時計から見切り径の小さな女性用の腕時計まで、モデルバリエーションの自由度を高めることができる。
また、太陽電池の固定を、地板つまりムーブメントの中心付近で行えるので、ムーブメントのサイズ内で太陽電池のサイズを自在に設定できる。このため、ムーブメントのサイズが異なる場合でも、太陽電池のサイズは必要な発電量に基づいて最小限の大きさに設定できる。従って、太陽電池のサイズを、ムーブメントのサイズに合わせて大きくする必要が無く、太陽電池のコストも低減できる。
さらに、フック部を案内穴に配置して太陽電池保持部材を回転させてフック部に案内穴の周縁を係止させることで、太陽電池保持部材と地板とを固定しているので、これらを固定するためのねじ等の接続部品を不要にできる。このため、太陽電池を地板にねじで固定する場合に比べて、部品数を少なくできてコストを低減でき、地板の裏面側に配置される部品との干渉も考慮する必要が無いため、地球環境に与える負荷がより少ない太陽電池付電子時計を容易に設計できる。
【００１２】
本発明の太陽電池付電子時計では、前記太陽電池保持部材は、前記地板に形成された位置決め突起に係合して回転方向の位置決めを行う位置決め部と、前記導通ばねを挿通する挿通穴とを備え、前記位置決め部および前記挿通穴は隣接して配置されていることが好ましい。
【００１３】
地板に形成された位置決め突起と太陽電池保持部材に設けられた位置決め部とを係合させているので、太陽電池保持部材が地板に対して前記案内穴およびフック部の係止方向と逆方向に回転して前記案内穴の周縁がフック部から外れることを防止できる。
また、太陽電池保持部材に設けられた位置決め部と、前記導通ばねを挿通する挿通穴を隣接して配置しているので、太陽電池保持部材や導通ばねを着脱し易くできる。すなわち、太陽電池保持部材を地板に取り付ける際には、前記挿通穴に配置した導通ばねの上に太陽電池保持部材をのせて導通ばね側に押し付け、さらに太陽電池保持部材を回転させながら前記フック部に案内穴の周縁を係止し、かつ、位置決め部を位置決め突起に係合する。この位置決め部を位置決め突起に係合する際に、導通ばねの近くに位置決め部があるため、位置決め部を押し込む際に導通ばねも同時に押し込むことができる。従って、位置決め部と導通ばねとが離れた位置に配置されている場合に比べて、太陽電池保持部材を容易に取り付けることができる。
また、太陽電池保持部材の位置決め部を位置決め突起から取り外す際も、その近くにある導通ばねを押さえつつ行うことができ、太陽電池保持部材を容易に取り外すことができる。
【００１４】
本発明の太陽電池付電子時計では、前記太陽電池は、前記文字板側から見た平面視で前記暦車の内側に配置されていることが好ましい。
【００１５】
太陽電池を暦車の内側のスペースに配置すれば、太陽電池と暦車を時計の厚さ方向における同一高さ位置に配置することができる。このため、ムーブメントの厚さ寸法を小さくできる。また、太陽電池の面積が小さくなるため、太陽電池のコストを低減できる。
【００１６】
本発明の太陽電池付電子時計では、前記暦車の上面の時計厚さ方向の高さ位置は、前記太陽電池の下面よりも上に配置されていることが好ましい。
【００１７】
時計の厚さ方向の高さ位置において、暦車の上面を太陽電池の下面よりも上に設定すれば、太陽電池の上に配置される文字板と暦車上面との距離を小さくできる。このため、文字板のカレンダー窓から視認できる暦車の奥目感を緩和できて、日付等も読みやすくできる。
【図面の簡単な説明】
【００１８】
【図１】本発明の実施形態に係る太陽電池付電子時計の分解斜視図。
【図２】前記太陽電池付電子時計の要部を示す縦断面図。
【図３】導通ばねの配置構造を示す縦断面図。
【図４】前記太陽電池付電子時計の太陽電池保持部材を示す平面図。
【図５】前記太陽電池保持部材のムーブメントへの取付状態を示す平面図。
【発明を実施するための形態】
【００１９】
本発明の実施形態を図面に基づいて説明する。
〔太陽電池付電子時計の概略構成〕
図１は、本実施形態に係る太陽電池付電子時計１の時計本体１０の分解斜視図である。
太陽電池付電子時計１は、時計本体１０と、時計本体１０を収容する図示略の外装ケースとで概略構成され、利用者が腕に装着して使用する腕時計タイプとされている。
【００２０】
〔時計本体の構成〕
時計本体１０は、図１に示すように、ムーブメント２と、文字板受けリング部材３と、太陽電池４と、太陽電池４の表側に配置される透光性の文字板５とを備える。なお、ムーブメント２は、図２にも示すように、地板２０、回路基板、ステッピングモーター、駆動輪列等が組み込まれた一般的な構成を採用しているため、説明を簡略する。また、外装ケースも一般的な構成であるため、説明を省略する。
【００２１】
〔地板の構成〕
地板２０の上面には、暦車である日車２１が配置されている。日車２１の内周面には駆動歯２１１が形成されている。
地板２０には、前記日車２１の内周面（駆動歯２１１）をガイドするガイド部２２１、２２２、２２３が突出して形成されている。また、地板２０の上面において日車２１の内周側には、日車２１の駆動歯２１１に噛み合って回転する日回し車２３や、日回し車２３で日車２１が１ピッチ分回転された際に、その回転後の位置を規制する日ジャンパー２４が設けられている。
【００２２】
さらに、地板２０の上面において日車２１の内周側には、太陽電池４を固定するための３つのフック部２５、２６、２７が形成されている。
フック部２５は、図２にも示すように、ガイド部２２１に隣接して設けられ、地板２０から立設された立上部２５１と、立上部２５１から側方に延長された延長部２５２とを備える。従って、地板２０の上面と、延長部２５２との間には太陽電池４を係止するための凹部が形成されている。他のフック部２６，２７もフック部２５と同様に、立上部および延長部を備えて構成されている。
また、ガイド部２２３の２箇所には、位置決め突起２８が突設されている。
【００２３】
さらに、地板２０に設けられた２箇所の位置決め突起２８のうち、フック部２５の近くに形成された位置決め突起２８に隣接する位置つまり日車２１の内周側には、後述するように、導通ばね７を挿通する２つの挿通穴２２５が形成されている。
【００２４】
〔文字板受けリング部材の構成〕
文字板受けリング部材３は、非透光性の材料（たとえば合成樹脂）により円環状に形成され、後述する太陽電池４と同系色に着色されている。
また、文字板受けリング部材３は、その平面中心を挟んで対向する二箇所に、図示しない支持フック部が形成されている。この支持フック部が、ムーブメント２の裏面側に係合し、文字板受けリング部材３はムーブメント２を保持する。
【００２５】
文字板受けリング部材３の上面３０には、図１に示すように、文字板受けリング部材３の中心を挟んで、互いに対向配置された２つの第１文字板固定部３３、および互いに対向配置された２つの第２文字板固定部３４が設けられている。
第１文字板固定部３３は、前記上面３０から文字板５側に突出して形成された略角柱状の係合突起によって構成されている。
第２文字板固定部３４は、前記上面３０から文字板５側に突出して形成された円柱状の係合突起によって構成されている。
【００２６】
〔太陽電池の構成〕
太陽電池４は、図１に示すように、平面視略円形状の基材４１と、基材４１の表面側に形成された太陽電池の受光部４２とを備えている。
基材４１は、合成樹脂製のフィルムなどの絶縁材で構成されている。受光部４２は、前記基材４１の表面上に、金属電極層、半導体層、絶縁層、配線電極層、透光性の封止樹脂層などを積層することによって構成されている。この受光部４２は、３つの領域に分割されて形成されている。すなわち、太陽電池４の表面には扇形状の３つの受光部４２が形成されている。そして、本実施形態では、３つの受光部４２の出力を直列接続することで発電電圧を向上させている。
【００２７】
太陽電池４は、文字板５を透過した太陽光が受光部４２に当たることで発電を行い、受光部４２で発電された電力は、図３にも示すように、コイルばね等からなる導通ばね７を介してムーブメント２に設けられた二次電池２９に充電され、この二次電池２９の出力で回路基板等が駆動される。
この太陽電池４は、外径寸法が日車２１の内径寸法とほぼ等しい大きさに設定されている。
【００２８】
〔太陽電池保持部材の構成〕
太陽電池４の裏面には、太陽電池保持部材４５が固定されている。太陽電池保持部材４５は、ステンレス板やプラスチック板で構成され、略円板状に形成されている。そして、太陽電池保持部材４５は、太陽電池４の基材４１に、接着剤や粘着テープによって貼り付けられている。
この太陽電池保持部材４５は、太陽電池４よりも僅かに小さなサイズに形成されており、太陽電池４の基材４１で全体が被覆されている。このため、太陽電池保持部材４５は、太陽電池４から露出することがなく、文字板５側から視認されることがない。
【００２９】
また、太陽電池保持部材４５は、地板２０に取り付けられた際に、日車２１の駆動歯２１１の上方（文字板５側）に配置されて日車２１が文字板５側に移動しないように位置決めする機能も備えている。すなわち、太陽電池保持部材４５は、日車２１の断面方向（時計厚さ方向）の位置決めを行う日車押さえと同様に機能する。
【００３０】
太陽電池保持部材４５は、図４にも示すように、前記フック部２５、２６、２７に対応する３つの案内穴４６、４７、４８を備える。なお、案内穴４６，４８は、太陽電池保持部材４５の外周に連通した溝形状とされている。
これらの案内穴４６、４７、４８は、各フック部２５、２６、２７をその穴内に配置可能に形成されている。すなわち、案内穴４６、４７、４８の形成位置や、大きさは、前記フック部２５、２６、２７に応じて設定されている。
【００３１】
また、図２にも示すように、太陽電池保持部材４５の中心部４５１に対して、折曲部４５２を介して連続する外周部４５３は、折曲部４５２が折り曲げられていることにより、高さ位置（時計厚さ方向の位置）が中心部４５１よりも文字板５側に近い位置とされている。この外周部４５３が、日車２１の駆動歯２１１の上方に配置され、日車２１の位置決めを行っている。
【００３２】
各案内穴４６、４７、４８に面する中心部４５１部分には、前記フック部２５、２６、２７に係止される係止部４６１、４７１、４８１が形成されている。これらの係止部４６１、４７１、４８１は、中心部４５１よりもムーブメント２側に一段低く形成されている。
【００３３】
案内穴４８には、外周部４５３から延長された位置決め部４８２が形成されている。位置決め部４８２は、前記２つの位置決め突起２８の一方に係合する穴４８３が形成されている。
【００３４】
また、案内穴４６，４８間に設けられる外周部４５３つまり日車２１の内周側には、前記２つの位置決め突起２８の一方に係合する位置決め部としての穴４６２と、導通ばね７が挿通される２つの挿通穴４６３とが形成されている。従って、導通ばね７は、文字板５側から見た平面視において、日車２１の内側に配置されている。また、穴４６２と、挿通穴４６３とは、日車２１の内側において隣接する位置に配置されている。
挿通穴４６３は、前記導通ばね７と接触しない大きさに形成されている。さらに、挿通穴４６３の内周面に絶縁材を配置して、導通ばね７と接触しても電気が導通することを防止するように構成してもよい。
従って、太陽電池４の基材４１裏面において、前記太陽電池保持部材４５の挿通穴４６３に対応する位置には、導通ばね７に導通する電極がそれぞれ形成されている。
また、図３に示すように、地板２０の裏蓋側に配置される回路基板８において、前記地板２０の挿通穴２２５に対応する位置にも、導通ばね７に導通する回路基板８側の電極がそれぞれ形成されている。なお、回路基板８は、回路押え板９によって地板２０に取付けされている。
なお、太陽電池保持部材４５は、前記外周部４５３の部分で前記太陽電池４の基材４１に接着されている。
【００３５】
〔文字板の構成〕
文字板５は、透光性の材料により、図１、２に示すように、太陽電池４の受光部４２全体を覆う大きさに形成されている。なお、文字板５は、少なくとも受光部４２全体を覆う大きさであればよく、前記文字板受けリング部材３よりも大きく形成してもよい。
この文字板５は、外周端縁から径方向に延出する４つの延出部５１と、各延出部５１に平面視コ字状に切り欠き形成される２つの第１係合部５２、および平面視半円形状に切り欠き形成される２つの第２係合部５３とを備える。
【００３６】
文字板５は、少なくとも延出部５１が、文字板受けリング部材３の上面３０に載置されることで、文字板受けリング部材３に支持される。
第１係合部５２は第１文字板固定部３３に嵌合され、第２係合部５３は第２文字板固定部３４に嵌合する。これにより、文字板５は、文字板受けリング部材３に対して回転方向に位置決め固定される。
また、文字板５には、日車２１が露出するカレンダー窓５５が形成されている。
【００３７】
〔時計本体の組み立て〕
次に、時計本体１０の組み立て方法について説明する。
まず、文字板受けリング部材３でムーブメント２を保持する。この際、ムーブメント２の上方から文字板受けリング部材３をはめ込むとともに、文字板受けリング部材３の支持フック部をムーブメント２の底面に引っ掛けるようにして支持する。また、時計ケースのサイズに応じて、ムーブメント２に図示略の中枠を取り付ける。
【００３８】
次に、太陽電池４を以下の手順でムーブメント２に取り付ける。まず、地板２０の挿通穴２２５に導通ばね７を配置する。
次に、太陽電池４の裏面に接着された太陽電池保持部材４５の案内穴４６、４７、４８内に、前記フック部２５、２６、２７を配置する。
そして、太陽電池保持部材４５を太陽電池４ととともに、ムーブメント２側に押し込みながら時計回りに回転させ、図５に示すように、係止部４６１、４７１、４８１を、フック部２５、２６、２７に係止させる。これにより、太陽電池４および太陽電池保持部材４５が地板２０に取り付けられて、時計厚さ方向に位置決めされる。
また、太陽電池保持部材４５の位置決め部４８２の穴４８３と、外周部４５３に形成した穴４６２とを、位置決め突起２８に係合し、太陽電池保持部材４５を回転方向に位置決めする。
この際、前記導通ばね７は、太陽電池４の裏面に形成された電極および回路基板８の電極に接触し、太陽電池４および回路基板８を導通する。
【００３９】
以上の手順により、図５に示すように、太陽電池４および太陽電池保持部材４５が、ムーブメント２に固定される。そして、太陽電池４および太陽電池保持部材４５は、穴４６２、４８３が位置決め突起２８に係合することで、地板２０の回転方向に対して位置決めされる。
【００４０】
次に、文字板５を太陽電池４の表面側から文字板受けリング部材３に保持させる。すなわち、第１係合部５２を文字板受けリング部材３の第１文字板固定部３３に嵌合させ、第２係合部５３を第２文字板固定部３４に嵌合する。これにより、文字板５は、文字板受けリング部材３の上面３０上に載置されて厚み方向に対して位置決めされる。さらに、文字板５は、各係合部５２、５３が、各文字板固定部３３、３４に嵌合することで、文字板受けリング部材３の回転方向に対して位置決めされる。
以上により、時計本体１０が組み立てられる。
【００４１】
上述した本実施形態に係る太陽電池付電子時計１によれば、以下の効果を奏する。
（１）太陽電池４と回路基板８とを導通する導通ばね７を、日車２１の内側のスペースに配置しているので、従来のように日車２１の外側に導通ばねを設ける場合に比べて、ムーブメント２を小型化できる。このため、女性用の太陽電池付電子時計も容易に設計、製造できる。
また、日車２１の外径寸法を大きくしても、導通ばね７に干渉しないので、太陽電池付電子時計１として、日車２１の外径が大きなモデルを展開する際に、太陽電池４の電極位置や導通ばね７の配置位置を変更する必要が無い。このため、日車２１の外径寸法が異なる様々なモデルにおいて、太陽電池４、導通ばね７、回路基板８を含むムーブメント２を共通化できて、コストを低減できる。
さらに、日車２１の外側に導通ばね７を設ける場合に比べて、日車２１と時計外周（外装ケース）との距離を小さくできる。このため、文字板５に形成するカレンダー窓５５の位置の自由度が向上し、文字板５のデザインバリエーションの自由度も向上できる。
【００４２】
（２）ムーブメント２の地板２０の上面にフック部２５、２６、２７を形成し、太陽電池４の裏面に接着した太陽電池保持部材４５に、係止部４６１、４７１、４８１を有する案内穴４６、４７、４８を形成し、前記フック部２５、２６、２７に係止部４６１、４７１、４８１を係止させて、太陽電池４をムーブメント２に取り付けている。
このため、太陽電池４および太陽電池保持部材４５の地板２０への固定位置を、導通ばね７の配置位置の近くに設定できる。従って、導通ばね７によって太陽電池４の電極に押圧力が加わっても、前記フック部２５、２６、２７および案内穴４６、４７、４８の係止構造によって前記押圧力を支持できる。従って、太陽電池４として基材がプラスチックフィルム製のフィルムソーラーを用いた場合でも、太陽電池４が導通ばね７の押圧力で大きく変形することを防止できる。
【００４３】
（３）また、従来のように、太陽電池保持部材４５の外周にフック部を設ける必要がないため、フック部が太陽電池４の外周から突出することがなく、文字板５から透けて見えることもない。従って、太陽電池保持部材４５を被覆するための見切り材を配置する必要が無く、見切り径の制約も無くすことができる。よって、文字板５のサイズや見切り径のサイズの自由度が高まり、太陽電池付電子時計１を腕時計として構成する場合、見切り径の大きなビッグサイズの腕時計から見切り径の小さな女性用の腕時計まで、モデルバリエーションの自由度を高めることができる。
【００４４】
（４）太陽電池４の固定を、地板２０つまりムーブメント２の中心付近で行えるので、ムーブメント２のサイズ内で太陽電池４のサイズを自在に設定できる。このため、ムーブメント２のサイズが異なる場合でも、太陽電池４のサイズは必要な発電量に基づいて最小限の大きさに設定できる。従って、太陽電池４のサイズを、ムーブメント２のサイズに合わせて大きくする必要が無く、太陽電池４のコストも低減できる。
さらに、太陽電池保持部材４５と地板２０との固定は、フック部２５、２６、２７を案内穴４６、４７、４８に配置して太陽電池保持部材４５を回転させ、フック部２５、２６、２７に案内穴４６、４７、４８の周縁の係止部４６１、４７１、４８１を係止させているので、別途ねじ等の接続部品で固定する必要がない。このため、太陽電池４を地板２０にねじで固定する場合に比べて、部品数を少なくできてコストを低減でき、地板２０の裏面側に配置される部品との干渉も考慮する必要が無いため太陽電池付電子時計１を容易に設計できる。
【００４５】
（５）太陽電池保持部材４５は、地板２０に形成された位置決め突起２８に係合する穴４６２、４８３を備えているので、太陽電池保持部材４５が地板２０に対して回転して係止部４６１、４７１、４８１がフック部２５、２６、２７から外れることを防止できる。
また、前記穴４６２と、導通ばね７を挿通する挿通穴４６３を隣接して配置しているので、太陽電池保持部材４５や導通ばね７を容易に着脱できる。すなわち、導通ばね７の近くに位置決め突起２８に係合する位置決め部である穴４６２が設けられているので、穴４６２が形成された外周部４５３部分を押し込む際に導通ばね７も同時に押し込むことができる。従って、位置決め部と導通ばね７とが離れた位置に配置されている場合に比べて、導通ばね７を確実に押し込むことができ、太陽電池保持部材４５を容易に取り付けることができる。
また、太陽電池保持部材４５の位置決め部である穴４６２を位置決め突起２８から取り外す際も、その近くにある導通ばね７を押さえつつ行うことができ、太陽電池保持部材４５を容易に取り外すことができる。
【００４６】
（６）太陽電池４をほぼ太陽電池保持部材４５と同程度の大きさに設定しているので、太陽電池４の面積を小さくでき、太陽電池４のコストを低減できる。
【００４７】
（７）太陽電池４および文字板５を、間隔をあけることなく積層して配置できるので、たとえば、太陽電池４および文字板５間に太陽電池押さえを設けて固定する構造を採用する場合に比べて、太陽電池付電子時計１を薄型化でき、日車２１の奥目感も緩和できる。
【００４８】
（８）太陽電池４および太陽電池保持部材４５を、接着剤や粘着テープを用いて固定しているので、ねじ等の接続部品を用いて固定する場合に比べて、接続部品が太陽電池４の表面に露出することがなく、太陽電池付電子時計１の外観低下を防止できる。
【００４９】
（９）太陽電池保持部材４５は、日車２１を断面的つまり時計厚さ方向に位置決めする部品を兼用するため、部品点数を減らすことができ、組み込み手順も減らすことができるため、コストを低減できる。また、太陽電池保持部材４５と日車２１の位置決め用の部品との両方を設ける場合に比べて、ムーブメント２の厚さ寸法を小さくできる。
【００５０】
（10）太陽電池４の裏面に接着した太陽電池保持部材４５は、ステンレス等の金属製で構成できるので、太陽電池４を地板２０に取り付ける機能だけでなく、太陽電池４自体の強度を高めるためにも機能する。従って、太陽電池４の基材４１として合成樹脂製のフィルムなどを用いることもでき、太陽電池４の薄型化や低コスト化を実現できる。
【００５１】
（11）文字板受けリング部材３の表面側の色を、太陽電池４の色と同系色にしたので、太陽電池４および文字板受けリング部材３の色調を合わせることができる。このため、文字板受けリング部材３に対する色調の差によって、太陽電池４の外形が文字板５から透けて見えることを防止でき、時計の文字板５を見た際の外観を向上できる。
【００５２】
〔実施形態の変形〕
なお、本発明は前述の実施形態に限定されるものではなく、本発明の目的を達成できる範囲での変形、改良等は本発明に含まれるものである。
太陽電池４のサイズは、前記実施形態のものに限定されない。すなわち、ムーブメント２を駆動する上で必要な電力を確保できるものであればよい。
この際、太陽電池４の外径を日車２１の内径よりも小さく形成すれば、太陽電池４と日車２１を同じ高さ位置（時計の厚さ方向の位置）に配置することもできる。この場合、太陽電池４と日車２１とが異なる高さ位置に配置される場合に比べて、太陽電池付電子時計１の厚さ寸法を小さくでき、薄型の時計を実現できる。
【００５３】
また、前記日車２１の上面位置つまり時計厚さ方向の高さ位置は、前記太陽電池４の下面よりも上に配置してもよい。この場合、太陽電池４の上に配置される文字板５と日車２１上面との距離を小さくできる。このため、文字板５のカレンダー窓５５から視認できる日車２１の奥目感を緩和できて、日付等も読みやすくできる。
【００５４】
前記実施形態では、円環状の文字板受けリング部材３を用いていたが、平面矩形枠状の文字板受けリング部材を用いてもよい。このような文字板受けリング部材を用いれば、文字板や時計ケースが角型のモデルを構成できる。
【００５５】
前記実施形態では、地板２０側にフック部２５、２６、２７を形成し、太陽電池保持部材４５側に案内穴４６、４７、４８を形成していたが、逆に地板２０側に案内穴を形成し、太陽電池保持部材４５側にフック部を形成してもよい。
【００５６】
前記実施形態では、太陽電池保持部材４５を、接着剤や粘着テープで太陽電池４の裏面に固定していたが、他の固定方法で固定してもよい。たとえば、太陽電池４の基材４１が金属板の場合には、太陽電池保持部材４５をカシメ等で固定してもよい。
【００５７】
また、前記実施形態では、太陽電池保持部材４５は、日車２１の時計厚さ方向の位置決め部材を兼用していたが、日車２１の時計厚さ方向の位置決めは他の部品で行ってもよい。さらに、暦車として日車２１を設けていたが、曜車等の他の暦車を配置してもよい。さらに、導通ばね７が暦車の内側スペースに配置されていて暦車の配置スペースを外周側に拡大しやすいので、日車２１および曜車など２種類の暦車を配置してもよい。
【００５８】
前記実施形態では、文字板受けリング部材３の色が太陽電池４の色と同系色であったが、これらが異なる色であってもよい。特に、ダイヤルリング等の見切り材によって文字板受けリング部材３の露出面が被覆される場合には、文字板受けリング部材３の色を太陽電池４に合わせる必要は無い。
前記実施形態では、本発明に係る時計として、腕時計タイプの時計を例示して説明したが、これに限らず、壁掛け時計等、他のタイプの時計であってもよい。
【符号の説明】
【００５９】
１…太陽電池付電子時計、２…ムーブメント、３…文字板受けリング部材、４…太陽電池、５…文字板、７…導通ばね、８…回路基板、１０…時計本体、２０…地板、２１…日車（暦車）、２５，２６，２７…フック部、２８…位置決め突起、４１…基材、４２…受光部、４５…太陽電池保持部材、４６，４７，４８…案内穴、５５…カレンダー窓、２２１，２２２，２２３…ガイド部、２５１…立上部、２５２…延長部、４５１…中心部、４５２…折曲部、４５３…外周部、４６１，４７１，４８１…係止部、４６２…穴、４６３…挿通穴、４８２…位置決め部、４８３…穴。
【図１】
0005948835.tif 000002
【図２】
0005948835.tif 000003
【図３】
0005948835.tif 000004
【図４】
0005948835.tif 000005
【図５】
0005948835.tif 000006